(57)【特許請求の範囲】
【請求項１】
各住戸毎に設置された複数の住戸端末機器、管理室端末機器及び集合玄関機が端末機器として設けられ、その各端末機器にそれぞれ接続された制御装置を有し、各端末機器が制御装置を介してデータの送受を行うインターホンシステムにおいて、
前記端末機器は、他の端末機器と通話を可能とするために、送信元アドレスと通話制御命令コマンドと受信先アドレスを書き込むブロックを有するフォーマットのデータを送信するとき、受信先アドレスに自己のアドレス、送信元アドレスに通話を可能としたい端末機器のアドレスをそれぞれ書き込んだデータを前記制御装置に対して送信し、そのデータが前記制御装置から返送されたときは正常に送信されたと判断し、また、前記フォーマットのデータとして、送信元アドレスに自己のアドレスが書き込まれたデータを受信したときはそのデータを前記制御装置に対して返送するデータ送受信部を備え、
前記制御装置は、前記フォーマットのデータを受信したときは、そのデータを受信先アドレスに自己のアドレスを書き込んだ端末機器に対して返送すると共に、そのデータを送信元アドレスの端末機器に対しても送信し、そのデータが返送されたときは正常に送信されたと判断する端末データ送受信部を備え、
前記端末機器のうち複数の住戸端末機器は、各種の検知手段を通じて異常の有無を監視し、複数の異常を検知したときは、危険度の高い方の異常を優先的に選択して、前記制御装置にポーリングを要求するデータを送信し、この要求により異常内容毎にタイムスロットが割り当てられたポーリングを受けたときは、検知した異常からタイムスロットを選択してその異常を通知するポーリング要求部を備え、
前記制御装置は、前記ポーリングを要求するデータを受けたとき、予め定められた異常内容毎にタイムスロットを割り当てて前記複数の住戸端末機器をポーリングし、前記ポーリングを行ったときに複数の異常を検知したときは、危険度の高い方の異常を優先的に選択して、その異常を発した住戸端末機器を検索するポーリングを行い、このポーリングにより住戸端末機器を特定したときは、その住戸端末機器から異常内容の情報を収集することを特徴とするインターホンシステム。
【発明の詳細な説明】
【０００１】
【発明の属する技術分野】
本発明は、例えば集合住宅のインターホンシステムに関するものである。
【０００２】
【従来の技術】
この種のインターホンシステムとして、制御装置が所定周期でポーリングし、そのポーリングにより異常を検知したときは端末機器を特定するポーリングを行って異常の情報を収集するものがある。例えば、集合住宅の各居室（住戸）にそれぞれ設置された端末機器を複数にグループ化し、このグループ毎にポーリングを行って、それぞれのグループに返送タイミングを与える。このタイミングで応答があった場合は、応答したグループ内の端末機器毎に再びポーリングし、端末機器毎に返送タイミングを与える。このポーリングにより、異常を発した端末機器を特定できたときは、その端末機器から情報を収集する。この情報から例えば火災と判断した場合は、その周囲の居室の各端末機器にベルを鳴動させる命令を出す。
【０００３】
【発明が解決しようとする課題】
しかしながら、前述した従来のインターホンシステムでは、複数の異常がほぼ同時に発生した場合、先に取り込んだ異常に対して処理を行うようになり、そのため、異常の中に危険度の高い異常が発生していても前段の異常処理が終了するまで待機状態となってしまい、被害が拡大する恐れがあった。また、ポーリングを周期的に行っているため、消費電力が大きいかった。
【０００４】
さらに、ベルを鳴動させる際には、制御装置と端末機器との間でデータの送受信を少なくとも２回繰り返しており、しかも端末機器毎に行っているので時間を要していた。また、呼出操作が行われた場合のデータの送受信を複数回繰り返して相互にデータの確認を行っているので、通話可能になるまで時間を要していた。
【０００５】
本発明は、かかる課題を解決するためになされたもので、ポーリングを周期的に行わなくても異常発生時には確実に異常を検知してその個所を特定し、しかも、複数の異常がほぼ同時に発生していた場合には危険度の高い方の異常を優先的に選択して特定し、また、火災等によるベル鳴動や通話を速やかにできるインターホンシステムを提供することを目的とする。
【０００６】
【課題を解決するための手段】
本発明に係るインターホンシステムは、各住戸毎に設置された複数の住戸端末機器、管理室端末機器及び集合玄関機が端末機器として設けられ、その各端末機器にそれぞれ接続された制御装置を有し、各端末機器が制御装置を介してデータの送受を行うインターホンシステムにおいて、端末機器は、他の端末機器と通話を可能とするために、送信元アドレスと通話制御命令コマンドと受信先アドレスを書き込むブロックを有するフォーマットのデータを送信するとき、受信先アドレスに自己のアドレス、送信元アドレスに通話を可能としたい端末機器のアドレスをそれぞれ書き込んだデータを制御装置に対して送信し、そのデータが制御装置から返送されたときは正常に送信されたと判断し、また、フォーマットのデータとして、送信元アドレスに自己のアドレスが書き込まれたデータを受信したときはそのデータを制御装置に対して返送するデータ送受信部を備え、制御装置は、フォーマットのデータを受信したときは、そのデータを受信先アドレスに自己のアドレスを書き込んだ端末機器に対して返送すると共に、そのデータを送信元アドレスの端末機器に対しても送信し、そのデータが返送されたときは正常に送信されたと判断する端末データ送受信部を備え、端末機器のうち複数の住戸端末機器は、各種の検知手段を通じて異常の有無を監視し、複数の異常を検知したときは、危険度の高い方の異常を優先的に選択して、制御装置にポーリングを要求するデータを送信し、この要求により異常内容毎にタイムスロットが割り当てられたポーリングを受けたときは、検知した異常からタイムスロットを選択してその異常を通知するポーリング要求部を備え、制御装置は、ポーリングを要求するデータを受けたとき、予め定められた異常内容毎にタイムスロットを割り当てて複数の住戸端末機器をポーリングし、ポーリングを行ったときに複数の異常を検知したときは、危険度の高い方の異常を優先的に選択して、その異常を発した住戸端末機器を検索するポーリングを行い、このポーリングにより住戸端末機器を特定したときは、その住戸端末機器から異常内容の情報を収集する。
【００１１】
【発明の実施の形態】
図１は本発明の実施形態に係るインターホンシステムの構成を示すブロック図である。
図において、制御装置１は、例えば集合住宅の管理室に設置され、マイクロコンピュータ（以下、「マイコン」という）２と、電流を制御し直流電源24Ｖを出力する電流制御回路３と、マイコン２からのデジタル信号をパルス（データ）に変換し（ハイレベル：24Ｖ、ローレベル：０Ｖ）、後述する例えば管理用インターホン等ともいわれる管理室端末機器２１に制御路４１を介して送信する送信回路４と、管理室端末機器２１からのパルスをデジタル信号に変換しマイコン２に出力する受信回路５と、マイコン２からのデジタル信号をパルスに変換し、後述する例えば住宅情報盤等ともいわれる住戸端末機器１１に制御路４１を介して送信する送信回路６と、住戸端末機器１１からのパルスをデジタル信号に変換しマイコン２に出力する受信回路７と、マイコン２からのデジタル信号をパルスに変換し、後述する集合玄関機３１に制御路４１を介して送信する送信回路８と、集合玄関機３１からのパルスをデジタル信号に変換しマイコン２に出力する受信回路９と、マイコン２の制御に基づいて通話路４２を接続又は遮断する通話路接続回路１０とを備えている。
【００１２】
制御装置１のマイコン２は、本発明の端末データ送受信部、端末制御部及び異常検索部を備え、電源が立ち上がったときは初期設定し、その後、後述する緊急ポーリングの処理に入る。この時の緊急ポーリングは各居室の住戸端末機器１１の状態を監視するためで、異常が確認されなかったときは各住戸端末機器１１に端末イベント許可を出す。この許可は、異常を検知したときに緊急ポーリング要求を出してもよいという各住戸端末機器１１への許可で、後述する一斉ポーリングによって行う。
【００１３】
端末イベント許可を出した後は、一斉放送の指示があるかどうかを判定する。その指示があるときは、一斉ポーリングによって各住戸端末機器１１に一斉放送の旨を通知し、その指示がないときは受信データがあるかどうかを判定する。データ受信を検知したときは緊急ポーリング要求のデータかどうかを判定し、そのデータが緊急ポーリング要求によるものであるときは緊急ポーリングの処理に入る。また、管理室端末機器２１又は集合玄関機３１からの呼出によるデータ受信のときは後述するセレクティングを行い、受信データに異常を検知したときは前記と同様に緊急ポーリングの処理に入る。
【００１４】
受信データがないときは、所定時間経過（例えば１分）するまでそのデータ受信の有無を繰り返し判定し、所定時間経過したときは端末存在／不存在のポーリングを行う。このポーリングは、全居室の住戸端末機器１１、管理室端末機器２１及び集合玄関機３１が故障しているかどうかを監視するためである。終了時には各住戸端末機器１１に対して再び端末イベント許可を出して、受信データがあるかどうかの判定に入る。
【００１５】
緊急ポーリングを行うときは、まず受信回路７を通じて制御路４１をセンシングし、送信可能時間内で送信可能なとき、即ち制御路２１が他の端末機器等により使用されていないときは、予め分けられたグループ毎にポーリングする。例えば６４階建ての集合住宅の場合は、１階〜３２階と３３階〜６４階とに対して行われる。このポーリングにより、階グループ（１階〜１６階、１７階〜３２階、３３階〜４８階及び４９階〜６４階の何れか一つ）と、後述する火災系、コール系又は故障系の何れかを判別したときは、例えば８階毎に階ポーリングを行う。火災系を確認したときは、それを発した住戸端末機器１１が応答できるよう火災関係の階ポーリングを行い、コール系を確認したときはコール関係の階ポーリングを行い、故障系の場合には、それを発した住戸端末機器１１が応答できるよう故障関係の階ポーリングを行う。また、グループ毎に行ったポーリングで火災系とコール系を確認したときは、危険度の高い火災系を選択して火災関係の階ポーリングを行い、コール系と故障系を確認したときは、故障系より危険度の高いコール系を選択してコール関係の階ポーリングを行う。
【００１６】
この階ポーリングにより階を特定できたときは例えば８号室毎に号室ポーリングを行う。この場合、階ポーリングが火災関係であったときはそれに引き続いて火災関係の号室ポーリングで行い、コール関係のときはその関係の号室ポーリングで行い、故障関係のときはその関係の号室ポーリングで行う。この号室ポーリングにより住戸端末機器１１を特定できたときは、その住戸端末機器１１との間でセレクティングを行って異常内容の情報を収集する。また、火災の場合は、例えば火災が発生した階と直上階に対してベルを鳴動させる一斉ポーリングを行う。
【００１７】
なお、端末イベント許可を出すときの一斉ポーリング、一斉放送を行うときの一斉ポーリング及びベルを鳴動させるときの一斉ポーリングは、本発明の端末制御部の機能に相当し、呼出に応じたセレクティングは端末データ送受信部の機能に相当し、また、緊急ポーリング要求によって行う緊急ポーリングの処理は異常検索部の機能に相当する。
【００１８】
次に住戸端末機器の構成について説明する。住戸端末機器１１は、インターホン機能とセキュリティ機能とを併せもったもので、各居室即ち住戸毎に設置され、マイコン１２と、マイコン１２からのデジタル信号をパルスに変換し、制御路４１を介して制御装置１に送信する送信回路１３と、制御路４１を介して受信された制御装置１からのパルスをデジタル信号に変換しマイコン１２に出力する受信回路１４と、マイコン１２の制御に基づいて通話路４２を接続又は遮断する通話路スイッチ１５と、図示せぬ送受話器とスピーカとが接続され、音声信号を送受信する通話送受信回路１６とを備えている。また、図示していないがドアホン、熱感知器、ガス漏れ検知器、防犯センサ、水漏れセンサ、コールボタン等が接続されており、本機器の前面には、管理室呼出キー１７や図示せぬテンキー等が設けられている。
【００１９】
住戸端末機器１１のマイコン１２は、本発明のデータ送受信部及びポーリング要求部を備え、初期設定後に制御装置１からの端末イベント許可が受信されると、一斉放送によるポーリング（一斉ポーリング）のデータが受信されたかどうかを判定し、そのデータが受信されたときは通話路スイッチ１５をオンして管理室側からの一斉放送を受信可能にする。本機器に対して呼出しのデータが受信されたときは前記と同様にセレクティングを行い、本機器に設けられた管理室呼出キー１７が操作されたときは、受信回路１４を通じて制御路４１をセンシングし、送信可能なときは制御装置１に呼出のセレクティングを行う。
【００２０】
また、本機器から外部への呼出がないときは、まず最初に火災系が作動したかどうかを判定する。火災系が作動していないときはコール系が作動したかどうかを判定し、コール系が作動していないときは故障系が作動したかどうかを判定し、故障系が作動していないときは再び一斉放送によるデータ受信があるかどうかの判定に入る。火災系、コール系又は故障系のうち何れか一つ検知したときは緊急ポーリングを要求し、また、火災系とコール系の作動を同時に検知したときは危険度の高い火災系を選択して緊急ポーリングを要求し、コール系と故障系の作動を同時に検知したときは故障系より危険度の高いコール系を選択して緊急ポーリングを要求する。
【００２１】
緊急ポーリングの要求を行うときは、まず制御路４１をセンシングし、送信可能時間内で送信可能なときはその要求を制御装置１に出す。この要求により緊急ポーリングのデータが受信されたときは、後述する所定のタイムスロットで検知内容（火災系、コール系又は故障系のうち何れか一つ）を通知し、この通知に応じて火災関係、コール関係又は故障関係の階ポーリングのデータが受信されたときは、所定のタイムスロットで階を知らせるデータを返送し、このデータ返送により号室ポーリングのデータが受信されたときは、所定のタイムスロットで号室を知らせるデータを返送し、この号室ポーリングによりセレクティングが行われたときは異常内容の情報を通知する。この時、一斉ポーリングにより地区警報音の鳴動の指示が入ったときは図示せぬベルを鳴動し、居住者に火災発生の旨を知らせる。
なお、前述した管理室呼出キー１７が操作されたときのセレクティングと、呼出によるセレクティングは本発明のデータ送受信部の機能に相当する。
【００２２】
前述した火災系の作動とは、熱感知器又はガス漏れ検知器が作動したとき、或いはこれらを試験したときの作動であり、また、コール系の作動とは、防犯センサや水漏れセンサ等が作動したとき、或いはトイレやバスルームに設置されたコールボタンがオンされたときの作動であり、故障系の作動とは、熱感知器・ガス漏れ検知器の故障検知によるものや、コールボタンとの間の電線の断線検知によるものである。
【００２３】
管理室端末機器２１は、インターホン機能とセキュリティ機能とを併せもったもので、管理室に設置され、マイコン２２と、マイコン２２からのデジタル信号をパルスに変換し、制御路４１を介して制御装置１に送信する送信回路２３と、制御路４１を介して受信された制御装置１からのパルスをデジタル信号に変換しマイコン２２に出力する受信回路２４と、マイコン２２の制御に基づいて通話路４２を接続又は遮断する通話路スイッチ２５と、図示せぬ送受話器とスピーカとが接続され、音声信号を送受信する通話送受信回路２６とを備えている。また、本機器の前面には、一斉放送キー２７、図示せぬテンキーと呼出キー、各種表示部等が設けられている。
【００２４】
管理室端末機器２１のマイコン２２は、本発明のデータ送受信部を備え、例えばテンキーの操作により住戸番号が入力されると所定の表示部に住戸番号を表示し、次いで、図示せぬ呼出キーがオンされたときは呼出のセレクティングを行う。このセレクティングによって受信先の住戸端末機器１１と通話可能な場合は通話路スイッチ２５をオンする。また、一斉放送キーがオンされたときはその旨のセレクティングを制御装置１に対して行い、このセレクティングにより応答があったときは通話路スイッチ２５をオンして通話可能にする。この時、制御装置１は、前述したように全居室の住戸端末機器１１に一斉ポーリングを行って一斉放送の旨を通知する。また、住戸端末機器１１からの呼出によるセレクティングが行われたときは、後述するが通話路４２を接続するための制御に入る。なお、前述した呼出キーによるセレクティングと、住戸端末機器１１からの呼出によるセレクティングはデータ送受信部の機能に相当する。
【００２５】
集合玄関機３１は、集合住宅の玄関ドア近傍に設置され、マイコン３２と、マイコン３２からのデジタル信号をパルスに変換し、制御路４１を介して制御装置１に送信する送信回路３３と、制御路４１を介して受信された制御装置１からのパルスをデジタル信号に変換しマイコン３２に出力する受信回路３４と、マイコン３２の制御に基づいて通話路４２を接続又は遮断する通話路スイッチ３５と、図示せぬ送受話器とスピーカとが接続され、音声信号を送受信する通話送受信回路３６とを備えている。また、本機器の前面には、操作部として呼出キー３７、図示せぬテンキーと呼出の住戸番号を表示する表示部等が設けられている。
【００２６】
集合玄関機３１のマイコン３２は、本発明のデータ送受信部を備え、テンキーの操作により住戸番号が入力されたとき前記表示部に住戸番号を表示し、次いで呼出キー３７がオンされたときは呼出のセレクティングを行い、また、例えば管理室端末機器２１からの呼出によるセレクティングが行われたときは、通話路４２を接続するための制御に入る。なお、これら呼出によるセレクティングはデータ送受信部の機能に相当する。
【００２７】
ここで、一斉ポーリング、セレクティング及び緊急ポーリングにつて詳述する。図２は一斉ポーリングのフォーマットを示す図、図３はセレクティングのフォーマット及びセレクティングによるデータ送受信のタイミングチャートを示す図、図４は緊急ポーリング及び階ポーリングのフォーマットを示す図、図５は号室ポーリングのフォーマットを示す図である。
【００２８】
一斉ポーリングは、例えば図２に示すように一斉ポーリングを指示するアドレスを書き込むブロックＡＳ１，２と、コマンドを書き込むブロックＣＭと、データを書き込むブロックＤＡ１，２と、このデータの誤りの有無を判別させるためのブロックＳＭ１，２とでなり、例えば端末イベント許可、管理室端末機器２１からの指示による一斉放送や、火災発生時に行う地区警報音の鳴動のときに用いられる。この一斉ポーリングのデータは制御装置１から３回繰り返して送信される。これは、住戸端末機器１１が確実に受信できるようにしたものである。
【００２９】
セレクティングは、例えば図３に示すように受信側を送信元アドレスとして書き込むブロックＡＳ１，２と、コマンドを書き込むブロックＣＭと、送信側を受信先アドレスとして書き込むブロックＡＤ１，２と、データを書き込むブロックＤＡ１，２と、このデータの誤りの有無を判別させるためのブロックＳＭ１，２とでなっている。
【００３０】
例えば、集合玄関機３１から訪問先の住戸を呼び出した場合、まず、集合玄関機３１と制御装置１との間で相互にセレクティングが行われる（図３ａ）。この場合、集合玄関機３１は、テンキーの操作に基づく呼出先の住戸端末機器１１のアドレスをブロックＡＳ１，２に、自己のアドレスをブロックＡＤ１，２にそれぞれ書き込むと共に、ブロックＣＭに通話の制御命令を、ブロックＤＡ１に住戸端末機器呼出の旨をそれぞれ書き込んで制御装置１に送信する。制御装置１は、集合玄関機３１からのデータが受信されるとその受信データを返送してセレクティングを行い、データを受信した旨を通知する。
【００３１】
次に、制御装置１と呼出先の住戸端末機器１１との間で相互にセレクティングが行われる（図３ｂ）。この場合、制御装置１は、受信された集合玄関機３１からのデータを住戸端末機器側に送信し、受信した住戸端末機器１１は、その受信データをそのまま返送してセレクティングを行い、データを受信した旨を通知する。
【００３２】
さらに、住戸端末機器１１が通話のために送受話器が取り外されたときのフックオンを検知したとき、制御装置１との間で相互にセレクティングが行われる（図３ｃ）。この場合、住戸端末機器１１は、集合玄関機３１のアドレスをブロックＡＳ１，２に、自己のアドレスをブロックＡＤ１，２に書き換えると共に、フック状態をブロックＤＡ１に書き込んで制御装置１に送信する。制御装置１は、住戸端末機器１１からのデータが受信されるとその受信データを返送してセレクティングを行い、データを受信した旨を通知する。
【００３３】
そして最後に、制御装置１と集合玄関機３１との間で相互にセレクティングが行われる（図３ｄ）。この場合、制御装置１は、受信された住戸端末機器１１からのデータを集合玄関機３１に送信し、受信した集合玄関機３１は、その受信データをそのまま返送してセレクティングを行い、データを受信した旨を通知する。
【００３４】
緊急ポーリングは、例えば図４（ａ）に示すように送信元アドレスを書き込むブロックＡＳ１，２と、コマンドを書き込むブロックＣＭと、データを書き込むブロックＤＡ１，２と、このデータの誤りの有無を判別させるためのブロックＳＭ１，２とでなり、６４階建ての集合住宅の場合、１階〜３２階と３３階〜６４階とに対して行われる。最初のポーリングには、１階〜１６階と１７階〜３２階とにそれぞれタイムスロット（火災系、コール系、故障系）が設定され、次のポーリングには、３３階〜４８階と４９階〜６４階とにそれぞれタイムスロットが設定されている。
【００３５】
階ポーリングは、前記ポーリングと同じブロック構成からなり、異常を検知した住戸端末機器１１が階を通知できるようタイムスロット（８階分）がそれぞれ設定されている（図４ｂ参照）。前記ポーリングによって火災系が検知されたときは火災関係の階ポーリングが選択され、コール系の場合はコール関係の階ポーリングが選択され、故障系が検知されたときは故障関係の階ポーリングが選択される。
【００３６】
号室ポーリングは、階ポーリングと同じブロック構成からなり、階を通知した住戸端末機器１１が号室を通知できるようタイムスロット（８号室分）がそれぞれ設定されている（図５参照）。階ポーリングが火災関係であったときはそれに引き続いて火災関係の号室ポーリングが選択され、コール関係のときはその関係の号室ポーリングが選択され、階ポーリングが故障関係のときはその関係の号室ポーリングが選択される。
【００３７】
次に、本実施形態の動作を説明する。図６、図７及び図８は制御装置の動作を示すフローチャート、図９及び図１０は住戸端末機器の動作を示すフローチャート、図１１は緊急ポーリングによるデータ送受信のタイミングチャートである。
【００３８】
なお、住戸端末機器１１は、検知した異常（火災系、コール系又は故障系）に応じてそれぞれ緊急ポーリングを要求して動作をするが、それぞれの動作が同じであるため図１０のフローチャートを共用して説明する。また、制御装置１は、緊急ポーリングを行ったときに火災系の異常を確認したときは火災関係の階ポーリングと号室ポーリングを、コール系の異常を確認したときはコール関係の階ポーリングと号室ポーリングを、また、故障系の異常を確認したときは故障関係の階ポーリングと号室ポーリングを行うが、それぞれの動作が同じであるため図８のフローチャートを共用して説明する。
【００３９】
制御装置１は、初期設定が終了すると（ステップ（Ｓ）１）、緊急ポーリングの処理に入る（Ｓ２）。まず、送信可能時間の測定を開始してその時間内までに送信可能かどうかを制御路４１をセンシングして判定する（図７のＳ２１〜Ｓ２３）。送信可能時間を経過しても送信できないとき、即ち制御路４１が使用されているときは測定時間をクリアして再び時間の測定を開始し（Ｓ３２，Ｓ２１）、送信可能かどうかの判定に入る（Ｓ２２，Ｓ２３）。
【００４０】
ここで、送信可能時間内に送信できることを検知したときは、１階〜３２階を一グループとして、３３階〜６４階を別のグループとして緊急ポーリングのデータをそれぞれ送信する（Ｓ２４）。この時、１階〜３２階に対しては１階〜１６階と１７階〜３２階とにそれぞれタイムスロットを設定し、３３階〜６４階に対しては３３階〜４８階と４９階〜６４階とにそれぞれタイムスロットを設定する（図４参照）。
【００４１】
この緊急ポーリングを行った際、待機時間の測定を開始して、タイムアップするまで待機する（Ｓ２５，Ｓ２６）。その時間がタイムアップしたときは、測定時間をクリアして、住戸端末機器１１からのデータ受信があったかどうかを判定する（Ｓ２７，Ｓ２８）。データの受信を検知したときは、そのデータのタイムスロットから火災系か、コール系か、又は故障系かを順次に判別するが（Ｓ２９〜Ｓ３１）、データの受信を検知できなかったときは、この緊急ポーリングの処理を終了して全居室の住戸端末機器１１に対し端末イベント許可を出す（Ｓ３）。この端末イベント許可は、一斉ポーリングを３回繰り返して行われる。
【００４２】
端末イベント許可を出した後は管理室端末機器２１の一斉放送キー２７のオンによる受信データがあるかどうかを判定し（Ｓ４）、受信データがあるときはその旨のデータを一斉ポーリングによって各住戸端末機器１１に送信する（Ｓ５）。この場合も一斉ポーリングを３回繰り返して行われる。一方、一斉放送キー２７のオンによる受信データがないときはＳ６において他の受信データがあるかどうかを判定する。そのデータの受信がないときは、所定時間（例えば１分）経過したかどうかを判定する（Ｓ７）。所定時間経過していないときはＳ４に戻って同じ動作を繰り返し、所定時間経過したときは端末存在／不存在ポーリングを行って再び端末イベント許可を出す（Ｓ８，Ｓ３）。
【００４３】
また、Ｓ６においてデータの受信を検知したときは、緊急ポーリングの要求かどうかを判定し（Ｓ９）、その要求を検知したときは緊急ポーリングの処理に入るが（Ｓ１２）、緊急ポーリングの要求でないことを確認したときは呼出によるデータ受信かどうかを判定する（Ｓ１０）。そのデータ受信のときは、後で詳述するが、データの中に書き込まれているアドレスを反転して送信元に返送すると共に、受信先に受信データを取り込むようセレクティングする（Ｓ１３）。また、受信データに異常があるときは緊急ポーリングの処理に入る（Ｓ１１，Ｓ１２）。
【００４４】
一方、各居室の住戸端末機器１１は、初期設定後に端末イベント許可が受信されると（Ｓ６１，Ｓ６２）、一斉放送によるデータ受信があるかどうかを判定し（Ｓ６３）、そのデータの受信がないときは呼出によるデータ受信があるかどうかを判定する（Ｓ６４）。そのデータを受信したときはそれに基づいて動作すると共に、データ受信の旨を通知するセレクティングを行うが（Ｓ６５）、呼出によるデータ受信がないときは、本機器に設けられた管理室呼出キー１７による呼出操作が行われたかどうかを判定する（Ｓ６６）。
【００４５】
呼出操作がなかったときは、火災系、コール系又は故障系が作動したかどうかを順次に判別する（Ｓ６７〜Ｓ６９）。何れも作動していないときはＳ６３に戻って前述した動作を繰り返す。また、管理室呼出キー１７による呼出操作が行われたときは、送信可能時間の測定を開始し（Ｓ７０）、その時間内までに送信可能かどうかを判定する（Ｓ７１，Ｓ７２）。これは、受信回路１４を通じて制御路４１をセンシングしてデータか受信されているかどうかを判別する。送信可能時間を経過しても制御路４１が使用されているときは、図示していないが呼出操作によるデータ送信を破棄し、かつ、測定時間をクリアし（Ｓ７５）、Ｓ６３に戻る。また、送信可能時間内に送信できることをセンシングを通じて検知したときは、管理室端末機器２１を呼び出すためのセレクティングに入る（Ｓ７３）。後で述べるが、このセレクティングにより通話信号が送受信されたかどうかを判定し（Ｓ７４）、通話が行われなかったときはＳ７１に戻って測定時間が送信可能時間を経過したかどうかを判定し、通話が行われたときはＳ６３に戻って一斉放送によるデータ受信があるかどうかの判定に入る。
【００４６】
ここで、（１）集合玄関機３１から訪問先の住戸を呼び出すときの動作と、（２）住戸端末機器１１から管理室を呼び出すときの動作を詳述する。なお、（１）の動作については図３のタイミングチャートを参照しながら説明する。
（１）図示せぬテンキー操作により住戸番号が入力され、次いで呼出キー３７がオンされると、その集合玄関機３１は、図示せぬ表示部に住戸番号を表示すると共に、送信可能時間の測定を開始する。そして、その時間内までに送信可能かどうかを受信回路３４を通じて制御路４１をセンシングして判定し、送信可能なときは、図３（ａ）に示すようにフォーマット化したデータを制御路４１に送信して制御装置１に対し呼出のセレクティングを行う。このデータは、ブロックＡＳ１，２に受信先の住戸端末機器１１のアドレス（住戸番号）が送信元として書き込まれ、ブロックＣＭに通話制御を行わせる命令が、ブロックＡＤ１，２に送信元の集合玄関機３１のアドレスが受信先として書き込まれ、また、ブロックＤＡ１に呼出のデータがそれぞれ書き込まれている。
【００４７】
制御装置１は、図６のＳ６において受信データを確認すると、その受信データが緊急ポーリング要求のものかどうかを判定し（Ｓ９）、そのデータでないときは呼出によるデータ受信かどうかを判定する（Ｓ１０）。呼出と判断したときは、送信元の集合玄関機３１と受信先の住戸端末機器１１に対してセレクティングを行う（Ｓ１３）。まず、受信されたフォーマットのデータを集合玄関機３１に返送してデータ受信の旨を通知する（図３（ａ）参照）。次いで、受信回路７を通じて制御路４１をセンシングし、送信可能なときは、集合玄関機３１から受信したフォーマットのデータを制御路４１に送信して、受信先の住戸端末機器１１に対しセレクティングする（図３（ｂ）参照）。この場合、通話路４２が複数ある場合にはどの通話路を使用するか例えばブロックＤＡ２にその旨を書き込んで指示する。
【００４８】
この時、該当する住戸端末機器１１は、そのデータを受信し（図９のＳ６４）、制御装置１に対してセレクティングを行う（Ｓ６５）。このセレクティングは、受信データを制御装置１に返送してデータ受信の旨を通知する（同図（ｂ）参照）。また、データが受信されたときスピーカ（図示せず）を通じて呼出音を発すると共に、通話路スイッチ１５をオンして通話路４２と接続する。その呼出音により送受話器（図示せず）のフックオンを検知したときは、自己のアドレスを受信側とし、集合玄関機３１のアドレスを送信側とするデータを制御路４１に送信して、制御装置１に対しセレクティングする（図３（ｃ）参照）。このデータは、ブロックＡＳ１，２に集合玄関機３１のアドレスが、ブロックＣＭに通話制御を行わせる命令が、ブロックＡＤ１，２に住戸端末機器１１のアドレスが、また、ブロックＤＡ１にはフックオン検知のデータがそれぞれ書き込まれている。
【００４９】
制御装置１は、そのデータが受信されると（Ｓ６）、前記と同様にその受信データが緊急ポーリング要求のものかどうかを判定し（Ｓ９）、そのデータでないときは呼出によるデータ受信かどうかを判定する（Ｓ１０）。呼出と判断したときは、送信元の住戸端末機器１１と受信先の集合玄関機３１に対してセレクティングを行う（Ｓ１３）。まず、受信されたフォーマットのデータを住戸端末機器１１に返送してフックオン確認の旨を通知する（同図（ｃ）参照）。この時、通話路接続回路１０を制御して住戸端末機器１１側の通話路４２と集合玄関機３１側の通話路４２とを接続する。次いで、集合玄関機３１に対し通話路４２を接続させる制御命令をフォーマットのデータに載せてセレクティングする（図３（ｄ）参照）。この場合、住戸端末機器１１からのデータを集合玄関機３１に送信する。
【００５０】
集合玄関機３１は、そのデータが受信されると、通話路スイッチ３５をオンして受信先の住戸端末機器１１と通話を可能にすると共に、受信したフォーマットのデータを制御装置１に返送してデータ受信の旨を通知し（同図（ｄ）参照）、集合玄関機３１からの住戸呼出による動作を終了する。
【００５１】
（２）住戸端末機器１１に設けられた管理室呼出キー１７がオンされると、その住戸端末機器１１は、呼出操作が行われたと判断して、送信可能時間の測定を開始する（図９のＳ６６，Ｓ７０）。そして、その時間内までに送信可能かどうかを受信回路１４を通じて制御路４１をセンシングして判定する（Ｓ７１，Ｓ７２）。送信可能なときは、前記と同様にフォーマット化したデータを制御路４１に送信して制御装置１に対しセレクティングする（Ｓ７３）。このデータは、ブロックＡＳ１，２に管理室端末機器２１のアドレスが、ブロックＣＭに通話制御を行わせる命令が、ブロックＡＤ１，２に住戸端末機器１１のアドレスが、また、ブロックＤＡ１に管理室呼出のデータがそれぞれ書き込まれている。その後は、通話による送受信が行われたかどうかの判定に入る（Ｓ７４）。
【００５２】
制御装置１は、図６のＳ６において受信データを確認すると、その受信データが緊急ポーリング要求のものかどうかを判定し（Ｓ９）、そのデータでないときは呼出によるデータ受信かどうかを判定する（Ｓ１０）。呼出と判断したときは、送信元の住戸端末機器１１と受信先の管理室端末機器２１に対してセレクティングを行う（Ｓ１３）。まず、受信されたフォーマットのデータを住戸端末機器１１に返送して、データ受信の旨を通知する。次いで、前記と同様に受信回路５を通じて制御路４１をセンシングし、送信可能なときは、管理室を呼び出すためのフォーマットのデータを制御路４１に送信して、受信先の管理室端末機器２１に対しセレクティングする。
【００５３】
この時、管理室端末機器２１は、そのデータを受信し、制御装置１に対してセレクティングを行う。このセレクティングは、受信データを制御装置１に返送してデータ受信の旨を通知する。また、前記データが受信されたときスピーカ（図示せず）を通じて呼出音を発すると共に、通話路スイッチ２５をオンして通話路４２と接続する。その呼出音により送受話器（図示せず）のフックオンを検知したときは、前記と同様にフォーマット化したデータを制御路４１に送信して、制御装置１に対しセレクティングする。このデータは、ブロックＡＳ１，２に住戸端末機器１１のアドレスが、ブロックＣＭには通話制御を行わせる命令が、ブロックＡＤ１，２には管理室端末機器２１のアドレスが、また、ブロックＤＡ１にはフックオン検知のデータがそれぞれ書き込まれている。
【００５４】
制御装置１は、そのデータが受信されると（Ｓ６）、前記と同様にその受信データが緊急ポーリング要求のものかどうかを判定し（Ｓ９）、そのデータでないときは呼出によるデータ受信かどうかを判定する（Ｓ１０）。呼出と判断したときは、送信元の住戸端末機器１１と受信先の管理室端末機器２１に対してセレクティングを行う（Ｓ１３）。まず、受信されたフォーマットのデータを管理室端末機器２１に返送して、フックオン確認の旨を通知する。この時、通話路接続回路１０を制御して住戸端末機器１１側の通話路４２と管理室端末機器２１側の通話路４２とを接続する。次いで、住戸端末機器１１に対し通話路４２を接続させる制御命令をフォーマットのデータに載せてセレクティングする。この場合、管理室端末機器２１からのデータを住戸端末機器１１に送信する。
【００５５】
住戸端末機器１１は、そのデータが受信されると、通話路スイッチ１５をオンして受信先の管理室端末機器２１と通話を可能にすると共に、受信したフォーマットのデータを制御装置１に返送してデータ受信の旨を通知する。この時、この管理室呼出により通話の送受信が行われたときは（Ｓ７４）、一斉ポーリングによるデータ受信があるかどうかの判定に入る（Ｓ６３）。
【００５６】
次に、（３）緊急ポーリング要求及びその要求に応じて緊急ポーリングを行ったときの動作と、（４）一斉ポーリングを行ったときの動作を詳述する。
（３）住戸端末機器１１は、呼出操作がないときに例えばコール系と故障系の作動を同時に検知したとき危険度の高いコール系を選択し（図９のＳ６８）、緊急ポーリング要求のために送信可能時間の測定を開始する（図１０のＳ８１）。この時は、その時間がタイムアップしたかどうかの判定に入るものの即座に制御路４１をセンシングして緊急ポーリング要求の送信が可能かどうかを判定する（Ｓ８２，Ｓ８３）。
【００５７】
送信不可能な状態が送信可能時間の間継続したときは測定時間をクリアして、火災系が作動したかどうかの判定に入るが（Ｓ９３，Ｓ６７）、送信可能時間を経過する前に送信が可能であることを検知したときは、図１１（ａ）に示すように緊急ポーリング要求を制御装置１に送信して、緊急ポーリングのデータ受信を待つ（Ｓ８４、Ｓ８５）。
【００５８】
一方、制御装置１は、データの受信を検知すると（図６のＳ６）、そのデータが緊急ポーリング要求のものかどうかを判定し（Ｓ９）、そのデータが緊急ポーリング要求によるものであるときは緊急ポーリングの処理に入る（Ｓ１２）。まず、送信可能時間の測定を開始し（図７のＳ２１）、その時間内までに送信可能（センシング）かどうかを判定する（Ｓ２２，Ｓ２３）。送信できなかったときは測定時間をクリアして再び時間の測定を開始するが（Ｓ３２，Ｓ２１）、送信できることをセンシングを通じて検知したときは、前述したように１階〜３２階を一グループとして、３３階〜６４階を別のグループとして緊急ポーリングのデータをそれぞれ送信する（Ｓ２４）。このデータを送信した際、１階〜３２階に対しては１階〜１６階と１７階〜３２階とにそれぞれタイムスロットを設定し、３３階〜６４階に対しては３３階〜４８階と４９階〜６４階とにそれぞれタイムスロットを設定する（図１１（ａ）参照）。この緊急ポーリングを行った際、待機時間の測定を開始して、タイムアップするまで待機する（Ｓ２５，Ｓ２６）。
【００５９】
この時、緊急ポーリングを要求した住戸端末機器１１は、緊急ポーリングのデータを受信する（図１０のＳ８５）。そして、図１１（ａ）に示すように緊急ポーリングのデータに書き込まれた命令に応答して所定のタイムスロットでコール系検知の旨を通知し（Ｓ８６）、コール関係の階ポーリングのデータ受信を待つ（Ｓ８７）。ここで、例えば１７階〜３２階の何れかの居室の住戸端末機器１１が火災系を検知していた場合、図１１（ａ）に示すように火災系検知の通知を所定のタイムスロットで返送する。
【００６０】
一方、制御装置１は、待機時間がタイムアップしたかどうかを判定しており（図５のＳ２６）、その時間がタイムアップしたとき測定時間をクリアして受信データがあるかどうかを判定する（Ｓ２７，Ｓ２８）。受信データがないときは、前述したように緊急ポーリングの処理を終了して全居室の住戸端末機器１１に端末イベント許可を出すが（Ｓ３）、データの受信を検知したときは、そのデータのタイムスロットから火災系が存在するかどうかを判別すると共に、図示していないが階グループを判別する。この場合、コール系と火災系であるが危険度の高い火災系を選択し（Ｓ２９）、かつ、１７階〜３２階の階グループを判別する。
【００６１】
そして、図１１（ｂ）に示すようにまず最初に１７階〜２４階の階グループに火災関係の階ポーリングのデータを送信する（図８のＳ４１）。この時、各住戸端末機器１１から階を通知するデータが受信されないときは、階グループ終了かどうかを判定し（Ｓ４２，Ｓ４３）、階グループ終了のときは全居室の住戸端末機器１１に端末イベント許可を出すが（Ｓ５１）、階グループが終了していないときは、図１１（ｂ）に示すように次の階グループ２５階〜３２階を選択して火災関係の階ポーリングのデータを送信する（Ｓ４４，Ｓ４１）。そして、前記と同様に受信データがあるかどうかを判定する（Ｓ４２）。
【００６２】
火災系検知を通知した住戸端末機器１１は、火災関係の階ポーリングのデータを受信する（図１０のＳ８７）。そして、図１１（ｂ）に示すように階を知らせるために所定のタイムスロットでデータを制御装置１に送信し（Ｓ８８）、火災関係の号室ポーリングのデータ受信を待つ（Ｓ８９）。なお、緊急ポーリングを要求した住戸端末機器１１は、コール系検知であるため、火災関係の階ポーリングが送信されても取り込むことなくコール関係の階ポーリングが送信されるまで待機する。
【００６３】
制御装置１は、前記住戸端末機器１１からのデータの受信を検知すると（図８のＳ４２）、そのデータのタイムスロットから１８階を確認し、図１１（ｃ）に示すようにその１８階の最初の居室グループ（1801号室〜1808号室）の各住戸端末機器１１に対して火災関係の号室ポーリングのデータを送信する（Ｓ４５）。この時、各住戸端末機器１１から住戸番号を知らせるためのデータが受信されたかどうかを判定し（Ｓ４６）、受信データを検知したときは情報収集のためのセレクティングに入るが（Ｓ４９）、受信データがないときは、１８階の居室グループ終了かどうかを判定する（Ｓ４７）。居室グループが終了しているときは全居室の住戸端末機器１１に端末イベント許可を出して（Ｓ５１）、図４のＳ４に戻るが、居室グループが存在するときは次の居室グループ（1809号室〜1816号室）を選択して各住戸端末機器１１に対し火災関係の号室ポーリングのデータを送信し（Ｓ４８，Ｓ４５）、前記と同様にデータの受信があるかどうかを判定する（Ｓ４６）。
【００６４】
この時、火災系を検知した住戸端末機器１１は、火災関係の号室ポーリングのデータを受信する（図１０のＳ８９）。そして、図１１（ｃ）に示すように住戸番号を知らせるために所定のタイムスロットでデータを制御装置１に送信し（Ｓ９０）、制御装置１からのセレクティングを待つ（Ｓ９１）。
【００６５】
制御装置１は、火災関係の号室ポーリングによるデータ受信を検知すると（図８のＳ４６）、そのデータのタイムスロットから住戸番号を判別し、図１１（ｄ）に示すようにその居室の住戸端末機器１１に対しセレクティングを行い（Ｓ４９）、特定した住戸端末機器１１からの情報を待つ（Ｓ５０）。
【００６６】
特定された住戸端末機器１１は、制御装置１によってセレクティングが行われると（図１０のＳ９１）、それに応答して例えば熱感知器が作動した旨の情報を制御装置１に通知する（Ｓ９２）。
【００６７】
この時、制御装置１は、前述の如く情報が受信されたかどうかを判定しており（図８のＳ５０）、情報が受信されたときはその情報から火災発生を認識する。そして、例えば火災発生の１８階と直上階の各住戸端末機器１１に対して警報音を発生させる。
【００６８】
（４）この警報音は一斉ポーリングによるもので、図２に示すフォーマットのデータを火災発生の１８階の各住戸端末機器１１と直上階の各住戸端末機器１１とにそれぞれ３回繰り返して送信する。そのデータは、ブロックＡＳ１，２に送信元及び受信先のアドレスが、ブロックＣＭに通話制御命令、即ち警報音を発生させる命令が、ブロックＤＡ１に受信先の各住戸端末機器１１を呼び出すデータがそれぞれ書き込まれている。この時、１８階と直上階の各住戸端末機器１１は、その一斉ポーリングのデータを受信する。そして、図示せぬ内蔵のベルを起動して警報音を発生させ、居住者に知らせる。
【００６９】
また、制御装置１は、緊急ポーリングや、呼出によるセレクティング等を行っていないとき、即ち受信データがないときに一斉放のデータを受信すると（図６のＳ４）、全居室の住戸端末機器１１に対し一斉ポーリングを行う（Ｓ５）。その一斉放送のデータは、一斉放送キー２７のオンを検知した管理室端末機器２１からのセレクティングによるもので、このセレクティングに応答して受信の旨を管理室端末機器２１に返送してから一斉ポーリングを行う。一斉ポーリングを行う際、通話路接続回路１０を制御して管理室端末機器２１側の通話路４２と全居室の住戸端末機器１１側の通話路４２とを接続し、一斉ポーリングのデータを制御路４１に送信して各住戸端末機器１１に受信させる。このデータは３回繰り返して送信される。
【００７０】
一方、各住戸端末機器１１は、一斉ポーリングのデータが受信されると（図９のＳ６３）、通話路スイッチ１５をオンする（Ｓ６３ａ）。この時、図示せぬスピーカから呼出音を発生させて居住者に知らせる。
【００７１】
以上のように本実施形態においては、呼出操作に基づいてデータを送信したときに同一データが受信された場合、正常にデータが送信されたと判断するようにしたので、データの送受信を複数回行って確認を行う従来のものと比べ受信先との接続が速やかに行われ、また、火災発生時のベル鳴動や一斉放送を行うときはデータを３回繰り返して送信するようにしたので、住戸端末機器１１側は確実に受信してその旨を通知することができるという効果がある。
【００７２】
さらには、住戸端末機器１１が異常を検知したとき制御装置１に緊急ポーリングを要求してポーリングを行わせるようにしたので、周期的にポーリングを行う従来のものと比べ消費電力が少なくなるという効果があり、また、住戸端末機器１１が複数の異常を検知した際、危険度の高い異常を優先的に選択して緊急ポーリングを要求し、制御装置１は、緊急ポーリングの要求に応じてポーリングしたときに複数の異常を確認したときは危険度の高い異常を優先的に選択して、その異常を発した住戸端末機器１１を特定するポーリングを行うようにしたので、異常が複数発生しても危険度の高い方から処理でき、このため、被害を最小限に抑えることができるという効果がある。
【００７３】
なお、前記実施形態では、通話路４２を１回線として説明したが、複数の回線にしてもよい。その場合、制御装置１は、通話制御の際、空いている通話路を判別して送信元と受信先に通知する。
【００７４】
また、集合住宅用のインターホンにつき説明したが、一戸建て住宅のインターホン装置にも適用できることはいうまでもない。管理用インターホンを管理室以外に設けられるようにしてもよい。
【００７５】
【発明の効果】
以上のように発明によれば、端末機器は、他の端末機器と通話を可能とするために、送信元アドレスと通話制御命令コマンドと受信先アドレスを書き込むブロックを有するフォーマットのデータを送信するとき、受信先アドレスに自己のアドレス、送信元アドレスに通話を可能としたい端末機器のアドレスをそれぞれ書き込んだデータを制御装置に対して送信し、そのデータが制御装置から返送されたときは正常に送信されたと判断し、制御装置は、フォーマットのデータを受信したときは、そのデータを受信先アドレスに自己のアドレスを書き込んだ端末機器に対して返送すると共に、そのデータを送信元アドレスの端末機器に対しても送信し、そのデータが返送されたときは正常に送信されたと判断するようにしたので、データの送受信を複数回行って確認を行う従来のものと比べ受信先との接続が速やかに行われるという効果がある。
【００７６】
また、複数の住戸端末機器は、各種の検知手段を通じて異常の有無を監視し、複数の異常を検知したときは、危険度の高い方の異常を優先的に選択して、制御装置にポーリングを要求するデータを送信するようにしたので、周期的にポーリングを行う従来のものと比べ消費電力を抑えることが可能になり、また、このポーリングの要求により異常内容毎にタイムスロットが割り当てられたポーリングを受けたときは、検知した異常からタイムスロットを選択してその異常を通知するようにしたので、居室内の被害を最小限に抑えることができるという効果がある。
【００７７】
また、制御装置は、ポーリングを要求するデータを受けたとき、予め定められた異常内容毎にタイムスロットを割り当てて複数の住戸端末機器をポーリングし、ポーリングを行ったときに複数の異常を検知したときは、危険度の高い方の異常を優先的に選択して、その異常を発した住戸端末機器を検索するポーリングを行い、このポーリングにより住戸端末機器を特定したときは、その住戸端末機器から異常内容の情報を収集するようにしたので、複数の異常を同時に発生していても危険度の高い方から処理することができ、このため、被害を最小限に抑えることが可能になる。
【図面の簡単な説明】
【図１】本発明の実施形態に係るインターホンシステムの構成を示すブロック図である。
【図２】一斉ポーリングのフォーマットを示す図である。
【図３】セレクティングのフォーマット及びセレクティングによるデータ送受信のタイミングチャートを示す図である。
【図４】緊急ポーリング及び階ポーリングのフォーマットを示す図である。
【図５】号室ポーリングのフォーマットを示す図である。
【図６】制御装置の動作を示すフローチャートである。
【図７】図６に続くフローチャートである。
【図８】図７に続くフローチャートである。
【図９】住戸端末機器の動作を示すフローチャートである。
【図１０】図９に続くフローチャートである。
【図１１】緊急ポーリングによるデータ送受信のタイミングチャートである。
【符号の説明】
１  制御装置
１１  住戸端末機器
２１  管理室端末機器
３１  集合玄関機
４１  制御路
４２  通話路
【図１】
0003716362.tif 000002
【図２】
0003716362.tif 000003
【図３】
0003716362.tif 000004
【図４】
0003716362.tif 000005
【図５】
0003716362.tif 000006
【図６】
0003716362.tif 000007
【図７】
0003716362.tif 000008
【図８】
0003716362.tif 000009
【図９】
0003716362.tif 000010
【図１０】
0003716362.tif 000011
【図１１】
0003716362.tif 000012